(57)【特許請求の範囲】
【請求項１】
リードが動かないように、リードとマウスピースとを締め付けるためのリガチャーであって、
リードとマウスピースとを巻回するための金属製の薄板部と、
マウスピースを挟んでリードに対向する位置で前記薄板部の両端の締め付けを行なう締め付け部と、
リードに対して突出し、その先端でリードに接触する突出部と、
前記突出部の近傍における前記薄板部の曲げ強度を補強することでリードと前記薄板部との接触を回避するために、前記突出部が設けられた前記薄板部の面と対向する面に設けられ、歌口側からみて横手方向に、前記突出部の最外端よりも両側に張り出した形状の補強材と、
を備えたことを特徴とするリガチャー。
【請求項２】
前記補強材は、前記薄板部のリード側の面に設けられた穴の周囲に付加されたことを特徴とする請求項１に記載のリガチャー。
【請求項３】
前記薄板部及び前記補強材は、共に金属製であり、
前記補強材は、前記薄板の上に金属を接着、溶接、または蒸着することによって形成されることを特徴とする請求項１又は２に記載のリガチャー。
【請求項４】
前記補強材は、洋白、ステンレス、チタン、スチールの何れか１つまたはその合金によって形成されることを特徴とする請求項３に記載のリガチャー。
【請求項５】
前記補強材を取り付ける前記薄板部の面を略平面に形成したことを特徴とする請求項１乃至４の何れか１項に記載のリガチャー。
【請求項６】
前記補強材は、クリップ形状であって、前記薄板部を挟み込むことにより前記薄板部に固定されることを特徴とする請求項１乃至５の何れか１項に記載のリガチャー。
【発明の詳細な説明】
【技術分野】
【０００１】
本発明は楽器のマウスピースに取り付けられるリガチャーに関する。
【背景技術】
【０００２】
サックスやクラリネットなどのシングルリード楽器においては、リガチャーを用いて、リードを演奏者の好みに応じた位置でマウスピースに固定することが一般的に行なわれている。リードの材質や形状や位置などによって音色が変わるため、演奏者が容易に操作できるよう、通常リガチャーは、特許文献１に開示されているように、マウスピースに巻きつけたベルトの両端をねじによって締め付ける構成となっている。また、通常は、ねじをゆるめて形成した環状リガチャーの中央部分の空間にリードとマウスピースとを挿入して、ねじを締め付けることにより、リードをマウスピースに固定する。また、特許文献１に記載のリガチャーには、レールが取り付けられ、リガチャーとリードとの接触面積を小さくする工夫が加えられている。
【先行技術文献】
【特許文献】
【０００３】
【特許文献１】特開２００３−８４７５６号公報
【発明の概要】
【発明が解決しようとする課題】
【０００４】
しかしながら、上述の従来技術では、リガチャーを強く締め付けて使い続けた場合に、リードのエッジ部分にリガチャーが触れてしまい、リードがうまく振動せずに音が変わってしまう場合があった。
【０００５】
本発明の目的は、上述の課題を解決する技術を提供することにある。
【課題を解決するための手段】
【０００６】
上記目的を達成するため、本発明に係るリガチャーは、
リードが動かないように、リードとマウスピースとを締め付けるためのリガチャーであって、
リードとマウスピースとを巻回するための金属製の薄板部と、
マウスピースを挟んでリードに対向する位置で前記薄板部の両端の締め付けを行なう締め付け部と、
リードに対して突出し、その先端でリードに接触する突出部と、
前記突出部の近傍における前記薄板部の曲げ強度を補強することでリードと前記薄板部との接触を回避するために、前記突出部が設けられた前記薄板部の面と対向する面に設けられ、歌口側からみて横手方向に、前記突出部の最外端よりも両側に張り出した形状の補強材と、
を備えたことを特徴とする。
【０００７】
ここで、補強材は、薄板部のリード側の面に設けられた穴の周囲に付加されたことを特徴とする。
【０００８】
また、前記薄板部及び前記補強材は、共に金属製であり、
補強材は、薄板の上に金属を接着、溶接、または蒸着することによって形成されることを特徴とする。
【０００９】
前記補強材は、ステンレス、チタン、スチールの何れか１つまたはその合金によって形成される。
【００１０】
前記補強材を取り付ける前記薄板部の面を略平面に形成したことを特徴とする。
【００１１】
前記補強材は、クリップ形状であって、前記薄板部を挟み込むことにより前記薄板部に固定されることを特徴とする。
【発明の効果】
【００１２】
本発明によれば、強く締め付けても、リードのエッジ部分にリガチャーが触れることがなく、所望の音を出すことのできるリガチャーを提供できる。
【図面の簡単な説明】
【００１３】
【図１】本発明の第１実施形態に係るリガチャーの構成を示す図である。
【図２】本発明の第１実施形態に係るリガチャーの構成を示す図である。
【図３】本発明の第１実施形態に係るリガチャーの構成を示す図である。
【図４】本発明の第１実施形態に係るリガチャーの構成を示す図である。
【図５】本発明の前提となるリガチャーの構成を示す図である。
【図６】本発明の第２実施形態に係るリガチャーの構成を示す図である。
【図７】本発明の第３実施形態に係るリガチャーの構成を示す図である。
【発明を実施するための形態】
【００１４】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１５】
(第１実施形態)
図１〜図４を用いて、本発明の第１実施形態としてのリガチャーの構成を説明する。図１は、マウスピース２及びリード３（点線で図示）に取り付けられるリガチャー１００を示す斜視図である。図２は、リガチャー１００の内側面の構造を示す斜視図である。図３は、リガチャー１００の上面の構造を示す斜視図である。
【００１６】
本実施形態に係るリガチャー１００は、リードとマウスピースとを巻回するため円筒状に撓められた金属製の薄板部１０を含む。リガチャー１００を形づくる金属としては、金、洋白、銅、銀、プラチナなどを採用できる。更に、銀や銅や真鍮（brass）にイエローゴールドやピンクゴールドのめっきを施したものであってもよい。
【００１７】
薄板部１０の一端には、ねじ１３をねじ込むためのねじ穴１１が一対設けられ、薄板部１０の他端にはそれらのねじ穴１１に対向して、ねじ１３の外径よりも大きな内径を備えた円筒部（いわゆるばか穴）１２が一対設けられている。ねじ１３を円筒部１２を通してねじ穴１１に螺合することにより、薄板部１０の両端は接続され、そのねじ１３の回し具合によって、マウスピース２及びリード３の締め付け具合を変えることができる。つまり、ねじ穴１１と円筒部１２とねじ１３とで、マウスピース２を挟んでリード３に対向する位置で薄板部１０の両端の締め付けを行なう締め付け部を構成する。
【００１８】
リガチャー１００をマウスピース２に装着する際には、リガチャー１００の両端をねじ１３によって緩く接続し、マウスピース２にリード３を重ねた状態で、それら全体をリガチャー１００に挿入し、その後、ねじ１３を回して締め付ける。本実施形態に係るリガチャー１００は、いわゆる逆締めであり、ねじ１３が、リード３とは逆側、つまり演奏者からみて上側に設けられている。
【００１９】
リガチャー１００の内側表面には、突出部１４が設けられ、突出部１４の先端がリード３に当接して、リード３を押圧することにより、リード３がマウスピース２に押し付けられて固定される。
【００２０】
図２に示すように、本実施形態に係る突出部１４は、レール状に設けられており、リード３に沿って接触することとなる。このように突出部１４を設けるのは、リガチャー１００とリード３との接触面積を少なくすることによりリードの反応が早く音のレスポンスが良くなり、奏でる音のとおりをよくするためである。すなわち、透明感のある音を出すことが可能となる。また、突出部１４としての２本のレールは、歌口側（図２の下側）に向けて広がるように傾きを持って設けられている。これは、リード３の形状に合わせたものである。なお、ここでは突出部１４がレール状であるとしているが、本発明はこれに限定されるものはなく、他の形状（例えば半球、円錐台、角錐台、円柱、角柱など）であってもよい。
【００２１】
また、リガチャー１００の薄板部１０は、側部にスリット状の穴１７を備え、リード側の面に円形の穴１５を備えている。これらはデザイン的な意味に加えて、リガチャー１００の軽量化を図る目的で形成されたものである。
【００２２】
図３に示すように、リガチャーのリード側の面に開けられた穴１５の周囲には、金属製の補強材１６が設けられている。補強材１６は、薄板部１０の上に洋白などの金属製の円環を接着、溶接、または蒸着することによって形成される。補強材１６は、洋白以外にも、ステンレス、チタン、スチールの何れか１つまたはその合金などのような強度のある金属から形成される。補強材１６により、この部分の薄板部１０の曲げ強度が大きくなる。
【００２３】
図４は、マウスピース２の歌口側からみたリガチャー１００の正面図である。補強材１６により、薄板部１０の曲げ強度が大きくなり、ねじ１３を強く締めても、リード３のエッジ部分と薄板部１０との間の空隙４１が保持される。つまり、リード３とリガチャー１００との接点は、突出部１４に限定されるため、所望の音を維持することができる。
【００２４】
図５は、補強材１６が設けられなかった場合のリガチャー１０００の正面図である。この場合、５１に示すように、リガチャー１０００が突出部１４近傍から折れ曲がり、リード３のエッジ部がリガチャー１０００と接触してしまう。これでは、所望の音を奏でることができなくなってしまう。本実施形態はこのような事態を回避することができる。
【００２５】
以上のように、本実施形態によれば、強く締め付けても、リードのエッジ部分にリガチャーが触れることがなく、所望の音を出すことのできるリガチャーを提供できる。なお、本実施形態では、補強材１６の形状は、穴１５の形状に合わせて円環状であるが、本発明はこれに限定されるものではなく、角穴を設けてその周囲に、方形に付加してもよい。或いは、穴１５を有しない薄板部１０のリード側の面に対して、縞状、又は、格子状の補強材１６を付加しても良い。
【００２６】
(第２実施形態)
図６を用いて、本発明の第２実施形態としてのリガチャーの構成を説明する。本実施形態に係るリガチャー２００は、突出部２４が設けられるリード３側の面（演奏者から見て下側の面）が略平面に形成されている点で、第１実施形態と異なる。このようにリード側の面を平面状にすることで薄板２０に、角部２１が形成される。このため、ねじ２３の締め付けによる、上方向の引っ張りに対して、変形強度が大きくなる。つまり、ねじ２３を強く締めても、リード３のエッジ部分と薄板部１０との間の空隙４１が保持される。
【００２７】
以上のように、本実施形態によれば、強く締め付けても、リードのエッジ部分にリガチャーが触れることがなく、所望の音を出すことのできるリガチャーを提供できる。
【００２８】
(第３実施形態)
図７を用いて、本発明の第３実施形態としてのリガチャーの構成を説明する。本実施形態に係るリガチャー３００は、別体のクリップ形状の補強材３１を設けた点で、第１実施形態と異なる。このように補強材３１をクリップ形状にすることで、薄板３０に対する補強材３１の取付が格段に容易になる。
【００２９】
補強材３１は、クリップ部３１１と平板部３１２とを備え、それらによって薄板３０を狭持することで、薄板３０に固定される。クリップ部３１１は突出部３４を避けて、矢印でしめした３箇所に挿入すべく、設けられている。補強材３１の厚みは薄いことが望ましく、平板部３１２を除いた厚みは、突出部３４と薄板３０とを加えた厚みよりも薄くなければならない。逆にクリップ部３１１に厚みを持たせるためには、突出部３４の突出量を大きくすればよい。このような補強材３１を薄板３０に取り付けることにより、薄板３０の曲げ強度が大きくなる。このため、ねじ３３の締め付けによる、上方向の引っ張りに対して、変形強度が大きくなる。つまり、ねじ３３を強く締めても、リード３のエッジ部分と薄板３０との間の空隙を保持できる。
【００３０】
なお、本実施形態ではクリップ形状の補強材３１を本体側から嵌め込む形態について示したが、歌口側から嵌め込む構成でも良いし、さらには、両側から２つの補強材３１を嵌め込む構成でも良い。
【００３１】
以上のように、本実施形態によれば、強く締め付けても、リードのエッジ部分にリガチャーが触れることがなく、所望の音を出すことのできるリガチャーを提供できる。
【符号の説明】
【００３２】
１００、２００、３００  リガチャー
２  マウスピース
３  リード
１１  ねじ穴
１２  円筒部
１３、２３、３３  ねじ
１４、２４、３４  突出部
１６、２６、３１  補強材
【要約】
【課題】本発明によれば、強く締め付けても、リードのエッジ部分にリガチャーが触れることがなく、所望の音を出すことのできるリガチャーを提供できる。
【解決手段】リード３が動かないように、リード３とマウスピース２とを締め付けるためのリガチャー１００であって、リード３とマウスピース２とを巻回するための薄板部１０と、マウスピース２を挟んでリード３に対向する位置で薄板部１０の両端の締め付けを行なう締め付け部１３と、リード３に対して突出し、その先端でリード３に接触する突出部１４と、突出部１４の近傍における薄板部１０の曲げ強度を補強するための補強材１６と、を備えたことを特徴とする。
【選択図】  図１【図１】
0004695225.tif 000002
【図２】
0004695225.tif 000003
【図３】
0004695225.tif 000004
【図４】
0004695225.tif 000005
【図５】
0004695225.tif 000006
【図６】
0004695225.tif 000007
【図７】
0004695225.tif 000008